(57)【要約】      （修正有）【課題】小型化、軽量化、低コスト化が可能で、短時間での点火が可能なガス発生器を提供する。【解決手段】筒状ハウジング内に、燃焼室と、フィルター室と、点火器と、を有し、点火器は、少なくとも２本以上の互いに絶縁された電極ピン２２，２３を有する塞栓２４と、塞栓に取り付けられる薄膜ブリッジ２５とで構成され、電極ピンを通して薄膜ブリッジに電流を供給し、火薬を着火するガス発生器１であって、薄膜ブリッジは、前記電極ピン及び前記塞栓の頭部３５と略同一面となるように塞栓に設けられた凹部３２に埋設し、電極ピン２２，２３とワイヤーボンディングで接続され、更に薄膜ブリッジの電極パッド４１の一方が、塞栓のヘッダー金属部４４にワイヤーボンディングにより接続されているガス発生器。【選択図】図４
2005246160.tif 000002
【特許請求の範囲】
【請求項１】
筒状ハウジング（４）内に、燃焼により高温ガスを発生するガス発生剤（５）が充填される燃焼室（６）と、フィルター材（７）が装着されるフィルター室（８）と、前記燃焼室（６）内のガス発生剤（５）を点火燃焼させる点火器（１０）とを有し、
前記点火器（１０）は、少なくとも２本以上の互いに絶縁された電極ピン（２２，２３）を有する塞栓（２４）と、前記塞栓（２４）に取り付けられる薄膜ブリッジ（２５）とで構成され、前記電極ピン（２２，２３）を通して前記薄膜ブリッジ（２５）に電流を供給し、前記薄膜ブリッジ（２５）を作動させて火薬（２６，２７）を着火するガス発生器（１）であって、
前記薄膜ブリッジ（２５）は、前記電極ピン（２２，２３）の頭部（３５）及び前記塞栓（２４）のヘッダー部（４４）と略同一面となるように前記塞栓（２４）に設けられた凹部（３２）に埋設され、前記薄膜ブリッジ（２５）は、前記電極ピン（２２，２３）とワイヤーボンディングで接続され、更に前記薄膜ブリッジ（２５）の電極パッド（４１）の一方が、前記塞栓（２４）のヘッダー部（４４）の金属部にワイヤーボンディングにより接続されていることを特徴とするガス発生器。
【請求項２】
前記筒状ハウジング（４）の外径Ｂが、３０ｍｍ以下であり、前記点火器（１０）が前記ハウジング（４）の端部（３）に装着されていることを特徴とする請求項１に記載のガス発生器。
【請求項３】
前記ハウジング（４）の端部（３）が開放し、他端部（２）が閉塞した有底筒状であることを特徴とする請求項１又は２に記載のガス発生器。
【請求項４】
前記薄膜ブリッジ（２５）の電極パッド（４１）表面の材質が、金、アルミニウム、ニッケル、チタンのいずれかである請求項１乃至３のいずれか一項に記載のガス発生器。
【請求項５】
前記ワイヤーボンディングに用いられるワイヤー（２８）が、金又はアルミニウムで、線径が１０μｍ〜５００μｍである請求項１乃至４のいずれか一項に記載のガス発生器。
【請求項６】
前記ワイヤーボンディングのワイヤー（２８）のループ高さ（ｈ３）が１ｍｍ以下である請求項１乃至５のいずれか一項に記載のガス発生器。
【請求項７】
前記燃焼室（６）と前記フィルタ−材（７）が装着される前記フィルタ−室（８）とを区画する第１仕切り部材（９）を有することを特徴とする請求項１乃至６のいずれか一項に記載のガス発生器。
【請求項８】
前記ハウジング（４）の他端部（２）が、ボウル形状又は平底形状であることを特徴とする請求項１乃至７のいずれか一項に記載のガス発生器。
【請求項９】
前記燃焼室（６）内に、エンハンサ剤（１４）が充填されていることを特徴とする請求項１乃至８のいずれか一項に記載のガス発生器。
【請求項１０】
前記燃焼室（６）内に、ガス発生剤（５）と前記エンハンサ剤（１４）とを容器に入れずに直接充填し、前記ガス発生剤（５）と前記エンハンサ剤（１４）が第２仕切り部材（４６）にて分離されていることを特徴とする請求項１乃至９のいずれか一項に記載のガス発生器。
【請求項１１】
前記ハウジング（４）に、前記第１仕切り部材（９）をかしめにより、その外周端面からくい込ませることを特徴とする請求項１乃至１０のいずれか一項に記載のガス発生器。
【発明の詳細な説明】
【技術分野】
【０００１】
本発明は、サイド用エアバッグ等を膨張させるのに好適なガス発生器に関する。
【背景技術】
【０００２】
自動車の衝突時に生じる衝撃から乗員を保護するための安全装置の１つとして、エアバッグが知られている。このエアバッグは、ガス発生器が発生する多量の高温、高圧ガスにて作動するものである。従来、このガス発生器がガスを発生する方式として、大きく分けて２種類のものが知られている。１つは、高圧のガスが保持されたボンベと、各ボンベ中の高圧のガスに熱を供給するための少量の火薬組成物により大量の高温・高圧ガスを放出せしめるハイブリッド方式である（例えば、特許文献１参照）。もう一つは、発生するガスを全て固体のガス発生剤を燃焼させて生成するパイロ方式である（例えば、特許文献２参照）。
【０００３】
火薬の着火に用いられる点火器として、セラミックス等の基板上に形成されている薄膜状のブリッジが、エポキシ樹脂、ポリイミド、セラミックス等によって塞栓に固定されている。そして、このブリッジは塞栓に設けられている電極ピンと、はんだ、ワイヤーボンディング、導電性エポキシ樹脂等で電気的に接合されているものがある（例えば、特許文献３参照）。これらのうち、はんだは、環境汚染に繋がる鉛を含んでいる。また、はんだは、高温で溶かす必要がある。
【０００４】
また、特許文献４では、ハウジングと仕切り部材を確実に気密にするために、仕切り部材の外周端面を切り欠いてＯ−リング等のシ−ル部材を設けた仕切り部材を有するガス発生器について開示がある。
【特許文献１】特開平８−２５３１００号公報
【特許文献２】特開２０００−２０３３７２号公報
【特許文献３】米国特許第６，３２４，９７９Ｂ１号明細書
【特許文献４】国際公開第０１／７４６３３号パンフレット
【０００５】
近年、ガス発生器に求められる性能として、小型化・低コストがあげられる。例えば、特許文献１に記載のものは、ハイブリッド方式のため、ガス充填室と火薬組成物室の２室が必要であり、大型化し重量も増加する。また溶接構造が主であり、コスト的にも高くなる。また、特許文献２に記載のものもガス発生剤のガス化率が低いためにガス発生剤量が多く必要である。また、エンハンサ室、ガス発生剤室、フィルター室と分離されており、大型化し、重量も増加する。また、部品点数も多くなり、コスト的にも高くなる。
【０００６】
一般に、ガス発生器の小型化にはガス発生剤のガス化率及び発熱量が大きく関係している。ガス化率が低いとガス発生剤の重量が多くなる。また、発熱量が多くなるとフィルター重量が多くなり、どちらも大型化、重量増加につながる。この点、特許文献２に記載されているようなパイロ式のガス発生器は、充填されるガス発生剤等の組成等を工夫することにより、ガス発生剤の充填量を増やすことなくガス化率を高めることが可能であり、特許文献１等に記載されているハイブリッド方式のものに比べて小型化を行いやすい。
【０００７】
しかしながら、パイロ式ガス発生器は、特許文献２にあるように、細長い円筒状のハウジングが主流であり、両端に溶接等で封止部材を組み付ける構造である。このため、ガス化率及び発熱量の増加にともない、ハウジングの耐圧性を向上させるためには、ハウジングの肉厚を厚くする必要があった。また、発熱量の増加により、ガスを充分に冷却するためにフィルター材も大きくする必要があり、ガス発生器の小型化、軽量化を実現するには至っていない。
【０００８】
また、特許文献３に記載の点火器において使用される薄膜ブリッジは、高温に晒されることになり、熱によってダメージを受けて、正常に動作しなくなることがある。また、導電性エポキシ樹脂によって接合した場合は、自動車用のガス発生器等の点火器として使用した場合、真夏の炎天下などで発生する高温の熱に長時間晒されることになり、導電性エポキシ樹脂の抵抗値が変化することがある。また、組立当初においても、電極表面の状態にその抵抗値が影響を受けやすいため、初期抵抗値のバラツキが大きいという問題があった。また、ワイヤーボンディングの場合は、はんだや導電性エポキシ樹脂の問題点を解消することができるが、薄膜ブリッジが塞栓の上に突出した状態で固定されているため、火薬装填時等に、押し付け力が作用した場合、断線するおそれがある。特に、特許文献３に記載されているような、ワイヤーの端面を立てて接合する、いわゆる立て付けの場合は、そのおそれが顕著となる。
【０００９】
また、特許文献４に記載のガス発生器では、仕切り部材の外周端面を切り欠いてＯ−リング等のシ−ル部材を設けるという工程を必要とし、ガス発生器の製造コストが高くなるという問題点があった。また、特許文献４に記載のガス発生器では、仕切り部材は、フィルタ−室と燃焼室を区画していない。
【００１０】
さらに、サイド用（側突用）エアバッグに用いられるガス発生器は、エアバッグが出てくるドア部分と乗員との距離が近くなるため、より速くエアバッグを膨らませる必要がある。即ち、運転席や助手席よりも速いエアバッグ展開性能が要求されている。
【発明の開示】
【発明が解決しようとする課題】
【００１１】
本発明は、上記問題点に鑑みてなされたものであり、小型化、軽量化、低コスト化が可能であるとともに、従来のガス発生器に比べて短時間での点火が可能なガス発生器を提供することを目的とする。
【課題を解決するための手段】
【００１２】
前記課題を解決するための本発明に係るガス発生器は、筒状ハウジング内に、燃焼により高温ガスを発生するガス発生剤が充填される燃焼室と、フィルター材が装着されるフィルター室と、前記燃焼室内のガス発生剤を点火燃焼させる点火器と、を有し、前記点火器は、少なくとも２本以上の互いに絶縁された電極ピンを有する塞栓と、前記塞栓に取り付けられる薄膜ブリッジとで構成され、前記電極ピンを通して前記薄膜ブリッジに電流を供給し、前記薄膜ブリッジを作動させて火薬を着火するガス発生器であって、前記薄膜ブリッジは、前記電極ピンの頭部及び前記塞栓のヘッダー部と略同一面となるように前記塞栓に設けられた凹部に埋設され、前記薄膜ブリッジは、前記電極ピンとワイヤーボンディングで接続され、前記薄膜ブリッジの電極パッドの一方が、前記塞栓のヘッダー部の金属部にワイヤーボンディングにより接続されていることを特徴とするものである。
【００１３】
また、本発明に係るガス発生器は、前記筒状ハウジングの外径Ｂが３０ｍｍ以下であるものが好ましく、前記点火器が前記ハウジングの端部に装着されていることを特徴とするものである。
【００１４】
本発明に係るガス発生器では、薄膜ブリッジが、ワイヤーの端面で接続する、いわゆる立て付けでなく、ワイヤーを寝かした状態でワイヤーの周面を用いて接続する、いわゆる横付けとすることで薄膜ブリッジと電極ピンとがワイヤーボンディングで接続された場合であっても、ワイヤーのループ高さを低く抑えて接続することができる。このため、ワイヤー部に押さえ付けるような圧力が作用した場合であっても、ワイヤーの断線を防止することが可能となる。電極パッドの少なくとも一方が、塞栓のヘッダー部の金属部分にワイヤーボンディングにより接続されているため、静電気等による薄膜ブリッジの誤作動を防止することができる。そして、点火器の点火部分に薄膜ブリッジが用いられているため、従来の電橋線タイプの点火器に比べて点火時間が約１／１０と速く、また、点火時の電気エネルギーが約１／２５と低く、高速低エネルギーで安定して火薬を点火することが可能となる。
【００１５】
従来のガス発生器は、ハウジング、その端部の蓋、他端部の蓋の３部品と端部、他端部のシール剤（Ｏ−リング等）等計５部品を有する構造であったが、本発明のガス発生器では、ハウジングの他端側が閉塞し、端部が開放した有底筒状のものであるため、３部品となり、部品点数を低減することが可能になる。また、部品点数を低減により組立工程の低減にもなるため、製造コストの低減にもなる。そして、ガス発生器を小型化することが可能となる。
【００１６】
また、本発明に係るガス発生器は、前記薄膜ブリッジの電極パッド表面の材質が、金、アルミニウム、ニッケル、チタンのいずれかであるものが好ましい。
【００１７】
薄膜ブリッジの電極パッド表面の材質が、金、アルミニウム、ニッケル、チタンのいずれかであるため、電極ピンとワイヤーボンディングで接続されることで、確実に薄膜ブリッジに電流が供給される。
【００１８】
また、本発明に係るガス発生器は、さらに、前記ワイヤーボンディングに用いられるワイヤーが、金又はアルミニウムで、線径が１０μｍ〜５００μｍであるものが好ましい。
【００１９】
ワイヤーボンディングに用いられるワイヤーが、金又はアルミニウムであるため、電極ピンから薄膜ブリッジに確実に電流を供給することが可能となる。また、線径は１０μｍ〜５００μｍ、好ましくは２０μｍ〜５００μｍ、さらに好ましくは１００μｍ〜５００μｍとすることにより、より確実に電極ピンから薄膜ブリッジに電流を供給することが可能となる。
【００２０】
また、本発明に係るガス発生器は、さらに、前記ワイヤーボンディングのワイヤーのループ高さ（ｈ３）が１ｍｍ以下であるものが好ましい。
【００２１】
ワイヤーのループ高さが１ｍｍ以下、好ましくは０．５ｍｍ以下、更に好ましくは０．２ｍｍ以下であるため、ワイヤーに火薬等の装填時に押し付け応力が作用した場合であっても、ワイヤーの断線を防止することができる。
【００２２】
また、本発明に係るガス発生器は、前記燃焼室と前記フィルター材が装着される前記フィルター室とを区画する第１仕切り部材を有するものが好ましい。
【００２３】
第１仕切り部材を設けることにより、フィルター材とガス発生剤室（燃焼室）が２室構造に分けられ、ガス発生剤の燃焼熱によるフィルターの損傷（溶融）を防止する。
【００２４】
また、本発明に係るガス発生器は、前記ハウジングの他端部が、ボウル形状又は平底形状であるものである。
【００２５】
ハウジングの他端部が、ボウル形状又は平底形状であるため、ハウジング内の圧力が高まった場合であっても、充分に耐えうることができる。また、端部がこのように閉塞しているため、他端部のみを封止すればよく、部品点数を減少することができるとともに、封止部分を他端部の一箇所のみとすることができるため、ガス発生器の安全性を高めるとともに、小型化することが可能となる。また、このハウジングでは、円筒部の厚みと外径との比が、好ましくは１．９〜１０．７の範囲にあり、好ましくは３〜６．８の範囲にあるものである。
【００２６】
また、本発明に係るガス発生器は、さらに、前記燃焼室内に、前記エンハンサ剤が充填されているものである。
【００２７】
こうすることにより、別の容器にエンハンサ剤を充填させ、これをガス発生器に組み込む必要がなくなり、製造コストの低減、ガス発生器の小型化が可能となる。
【００２８】
また、本発明に係るガス発生器は、さらに、前記燃焼室内に、ガス発生剤と前記エンハンサ剤とを容器に入れずに直接充填し、前記ガス発生剤と前記エンハンサ剤が第２仕切り部材にて分離されているものである。
【００２９】
エンハンサ剤とガス発生剤とが第２仕切り部材を介して密着しているため、ガス発生剤の充填状況の違いによるエンハンサ剤とガス発生剤との距離の差が生じないため、ガス発生器の性能を安定させることができる。
【００３０】
また、本発明に係るガス発生器は、前記ハウジングに、前記第１仕切り部材をかしめにより、その外周端面からくい込ませているものである。
【００３１】
こうすることにより、従来の仕切り部材の外周端面を切り欠いてＯ−リング等のシ−ル材を装着するという工程を必要としないため低コストで、かつ、仕切り部材とハウジングが確実に固定されるために気密性の高いガス発生器を得ることが可能となる。
【発明の効果】
【００３２】
本発明のガス発生器は、以上のように構成されており、薄膜ブリッジを塞栓に埋設し、電極ピンの頭部及び塞栓のヘッダー部と略同一面となるように設置した点火器を使用することによって、高速低エネルギーで火薬を点火することができる。また、構造が簡易である為、小型化が可能であるとともに、低コストで製造が可能となる。
また、本発明のガス発生器は、特定の薄膜ブリッジを含む点火器を有するため、サイド用として用いると、従来のサイド用のものに比べてより速くエアバッグを膨らませることができると考えられる。
【発明を実施するための最良の形態】
【００３３】
本発明に係るガス発生器の第１の実施形態の一例を、図面を参照して説明する。図１は、本発明に係るガス発生器の実施形態の一例の断面図を示す図である。図１において、ガス発生器１は、筒状のハウジング４と、ハウジング４内を、燃焼により高温ガスを発生するガス発生剤５が充填される燃焼室６と、フィルター材７が装着されるフィルター室８と、に区画する第１仕切り部材９と、燃焼室６内のガス発生剤５を着火燃焼させる点火器１０と、を有し、ハウジング４は、その端部３が開放し、その他端部２が閉塞した有底筒状である。筒状のハウジング４の外径Ｂは、３０ｍｍ以下が好ましく、２０ｍｍ以上〜３０ｍｍ以下の範囲にあるものがより好ましい。ハウジング４は、好ましくは有底円筒状である。
【００３４】
ハウジング４の他端部２は、例えば、丸みを帯びた形状、角ばった形状、ボウル(bowl)形状、平底形状等何でも良い。図１ではボウル(bowl)形状になっている。これによって、ハウジング内の圧力が上昇した場合であっても、変形を抑制することができる。また、他端部２がこのように閉塞しているため、端部３のみを封止すればよく、部品点数を減少することができるとともに、封止部分を端部３の一箇所のみとすることができるため、ガス発生器１の安全性を高めるとともに、小型化することが可能となる。なお、ハウジング４は、例えばステンレス、鉄等の金属で形成されている。
【００３５】
また、ハウジング４の他端部２の外周にはガス放出孔１１が設けられている。ガス放出孔１１は、ガス放出時にインフレータに推進力を生じない位置、例えばフィルター室８の円筒部２０に設けられることが好ましく、また、複数個設けられていても良く、また、１列のみならず、軸方向に複数列に設けられていても良く、軸方向に複数列に設けられている場合、ジグザグ状に設けられていても良い。好ましくは、４個又は８個設けられ、同一外周上に９０度毎に４個又は軸方向に２列の外周上に９０度毎に８個設けられるのがより好ましい。これらガス放出孔１１から、燃焼室６内でガス発生剤５の燃焼により発生した高温、高圧のガスが、フィルター室８に装着されているフィルター材７を通過して、冷却、濾過されて放出される。
【００３６】
第１仕切り部材９は、環状の平たい円板形状をし、孔１８を有し、フィルター室８と燃焼室６（ガス発生剤室）を分けて２室構造にし、ガス発生剤の燃焼熱によるフィルターの損傷（溶融）を防止している。第１仕切り部材９は、例えば、ステンレス、鉄等でできている。
ハウジング４の内周側であってガス放出孔１１を覆う位置、又は、第１仕切り部材９の孔１８を覆う位置のどちらか一方又は双方に、例えばアルミニウムテープ等のシール部材１６が貼付される。これによりハウジング４内をシールしている。シール部材１６は、第１仕切り部材９の燃焼室側の面に貼付され、ハウジング４の内周側には貼付されていないことがより好ましい。シール部材１６の径は、孔１８の径よりも４ｍｍ以上大きいものであっても良い。第１仕切り部材９への貼付は、簡便であり、この貼付は、ガス発生器の製造コストの低減になりうる。
【００３７】
ハウジング４の端部３には、点火器１０を保持するホルダ１２が装着されて、ホルダ１２は、ハウジング４の軸端部１３とともにかしめることによって保持されて、ハウジング４の端部３を閉鎖している。
【００３８】
また、第１仕切り部材９が配置された位置近辺のハウジング４の周面を縮径する方向にかしめて、第１仕切り部材９の外周端面をハウジング４の内周面にくい込ませることが好ましい。
【００３９】
点火器１０は、図３に示すように、１対の互いに絶縁された電極ピン２２，２３を有する塞栓２４と、塞栓２４に取り付けられる薄膜ブリッジ２５とで構成されている。そして、電極ピン２２，２３を通して薄膜ブリッジ２５に電流を供給し、薄膜ブリッジ２５を作動させて第１管体２９内に装填されている火薬２６，２７を着火する構造となっている。
【００４０】
塞栓２４は、ステンレス、アルミニウム、銅、鉄等の金属で形成されている。また、この塞栓２４から延伸する１対の電極ピン２２，２３は、塞栓２４と同様にステンレス、アルミニウム、銅、鉄等の金属で形成されている。そして、これら電極ピン２２，２３は、塞栓２４内では、ガラス、樹脂等の絶縁体３１でその周囲が覆われ、互いに絶縁されている。また、これら電極ピン２２，２３の頭部３５は、塞栓２４のヘッダー部４４と略同一面となるように設けられている。
【００４１】
図４は、薄膜ブリッジ２５が塞栓２４の凹部３２に埋設されている部分のＣ矢視拡大平面図である。図５は、図４におけるＡ−Ａ’線断面を示す図である。図６は、図４におけるＢ−Ｂ’線断面を示す図である。
【００４２】
薄膜ブリッジ２５は、図４、図５及び図６に示すように、塞栓２４に形成された凹部３２に埋設され、塞栓２４のヘッダー部４４及び電極ピン２２，２３の頭部３５と略同一面となるように設置されている。凹部３２は、図５に示すように、その溝深さｈ１が、通常０．２ｍｍを超え１ｍｍ以下、好ましくは０．２ｍｍを超え０．７５ｍｍ以下、より好ましくは０．２ｍｍを超え０．５ｍｍ以下であるため、薄膜ブリッジ２５が埋設された場合に、電極ピン２２，２３の頭部３５との段差ｈ２を１ｍｍ以下、好ましくは０．５ｍｍ以下、更に好ましくは０．２ｍｍ以下とすることによって、ワイヤーボンディングのループ高さｈ３を低くすることができる。また、図５及び図６に示すように、ワイヤー２８を寝かした状態でワイヤー２８の周面を用いて接続する、いわゆる横付けが容易に行える。このように、ワイヤー２８のループ高さｈ３が通常１ｍｍ以下、好ましくは０．５ｍｍ以下、更に好ましくは０．２ｍｍ以下であるため、ワイヤー２８に火薬等の装填時に押し付け圧力が作用した場合であっても、ワイヤー２８の断線を防止することができ、電極ピン２２，２３と薄膜ブリッジ２５を確実に接続することができる。なお、ワイヤー２８としては、金又はアルミニウムが好ましい。これによって、電極ピン２２，２３から薄膜ブリッジ２５に確実に電流を供給することが可能となる。また、ワイヤー２８の線径は通常１０μｍ〜５００μｍ、好ましくは２０μｍ〜５００μｍ、さらに好ましくは１００μｍ〜５００μｍとすることにより、より確実に電極ピン２２，２３から薄膜ブリッジ２５に電流を供給することが可能となる。
【００４３】
薄膜ブリッジ２５と、電極ピン２２，２３を接合するワイヤー２８は、図４、図５に示すように、薄膜ブリッジ２５の電極パッド４１の表面に掛け渡されるようにして接続されている。この際、前述したように、薄膜ブリッジ２５と塞栓２４のヘッダー部４４及び電極ピン２２，２３の頭部３５とが略同一面となるように塞栓２４の凹部３２に設置されているため（図３参照）、いわゆる横付けでワイヤー２８を薄膜ブリッジ２５の電極パッド４１に接合することができる。また、一方の電極パッド４１からワイヤー２８を塞栓２４のヘッダー部４４の金属部に接続することで、アースを取ることが容易に行われる。なお、これら、ワイヤー２８によって電極ピン２２，２３とワイヤーボンディングされる電極パッド４１は、反応性金属、例えば、チタン等と、反応性絶縁物、例えば、ホウ素等を交互に積層した積層体４３の表面に熱蒸着等によって形成された金、アルミニウム、ニッケル、チタン等で構成されている。反応性金属には、チタン以外に、アルミニウム、マグネシウム、ジルコニウム等が挙げられる。また、反応性絶縁物には、ホウ素以外に、カルシウム、マンガン、シリコン等が挙げられる。
【００４４】
薄膜ブリッジ２５は、発熱抵抗体、反応性物質を使用したリアクティブ型ブリッジ、ショック型ブリッジ等いずれのものでも使用することができる。これらは、Ｓｉ基板やＡｌ2Ｏ3等のセラミックス基板上にＬＩＧＡ（Lithographie Galva-noformung, Abfprmung（Ｘ線を利用した微細加工技術））プロセスや、スパッタリング等の公知技術によって形成されている。特に、リアクティブ型ブリッジは、小エネルギーで安定して作動するという点で好ましい。
【００４５】
本発明に係るガス発生器の第１の実施形態に示すリアクティブ型の薄膜ブリッジ２５は、図５及び図６に示すように、基板４２の表面に形成された反応性金属、例えば、チタン等と、反応性絶縁物、例えば、ホウ素等を交互に積層した積層体４３によるブリッジとその表面を覆う金属等の導電性材料で形成される電極パッド４１とで構成されている。図４、図５及び図６において電極パッド４１は、積層体４３の上に位置している。
【００４６】
積層体４３に使用される反応性金属としては、チタンの他に、アルミニウム、マグネシウム、ジルコニウム等がある。また、反応絶縁物としては、ホウ素の他に、カルシウム、マンガン、シリコン等がある。このような積層体４３を有する薄膜ブリッジ２５は、ブリッジ部に電流が流れて活性化すると、反応性金属と反応性絶縁物が反応し、ホットプラズマとなって放出される。そして、このプラズマは、装填されている火薬を効率良く着火することができる。
【００４７】
本発明に係るガス発生器の第１の実施形態に使用される点火器１０は、次のようにして製造される。
本発明に係るガス発生器の第１の実施形態に使用される点火器１０は、図３に示すように、まず、第１管体２９内に火薬２６，２７を装填した後、薄膜ブリッジ２５を塞栓２４に形成された図３，図４に記載の凹部３２に設置して、電極ピン２２，２３と薄膜ブリッジ２５をワイヤー２８によってワイヤーボンディングにより接続した後、第１管体２９に嵌合する。このとき、塞栓２４を火薬２６側に押し付けるようにした場合であっても、以上説明してきたように、薄膜ブリッジ２５は塞栓２４内に埋設されて、いわゆる横付けといわれるワイヤーボンディングで電極ピン２２，２３と接続されているため、断線等するおそれがない。このようにして、第１管体２９に塞栓２４を嵌合した後、この第１管体２９を第２管体３０に挿入し、点火器用ホルダ４０内にインサート成形する。これによって、自動車等の各種安全装置に用いられるガス発生器用の点火器等に好適に使用でき、点火玉を用いるガス発生器用の点火器にも好適に使用される。
なお、本製造例に限定されるものでなく、ワイヤーボンディングにおいては、電極ピン２２、２３のいずれか一方と薄膜ブリッジ２５との間にＡＳＩＣ（Application specific integrated circuit）等を介在させ同様に接続することも可能である。
【００４８】
着火薬２６，２７としては、好ましくは、ジルコニウム（Ｚｒ）、タングステン（Ｗ）、過塩素酸カリウム（ＫＣｌＯ4）を成分に持ち、バインダとしてフッ素ゴムやニトロセルロース等を用いたものを使用することが好ましい。又、ジルコニウム、タングステン、過塩素酸カリウムの組成比（重量比）は、点火器３の薄膜ブリッジ３５の発熱によって充分に点火できるように決められ、Ｚｒ：Ｗ：ＫＣｌＯ4＝３：３．０〜４．０：３．０〜４．０が好ましく、Ｚｒ：Ｗ：ＫＣｌＯ4＝３：３．５：３．５がより好ましい。
【００４９】
以上のように構成される点火器１０は、電極ピン２２，２３に電流が供給されることによって、薄膜ブリッジ２５が作動し、従来の電橋線によるものに比べ、約１／１０の速さである数μ秒単位で効率良く火薬２６，２７を点火することが可能となる。また、薄膜ブリッジ２５で発生した熱エネルギーにより効率良く火薬を点火することができるため、点火遅れ等のバラツキの低減が可能となる。
【００５０】
なお、点火器１０では、電極ピン２２，２３と薄膜ブリッジ２５とがワイヤーボンディングによって確実に接続することができるため、例えば、電極ピン２２，２３のいずれか一方と、薄膜ブリッジ２５との間にＡＳＩＣ（Application specific integrated circuit）等を介在させ、同様にワイヤーボンディングによって接続することも可能である。
【００５１】
そして、本発明の第１の実施形態に係るガス発生器１は、図１に示すように、ハウジング４の他端部２より、フィルター材７、ガス発生剤５、エンハンサ剤１４、クッション材１５の順に充填され、点火器１０がカシメ固定されているホルダ１２が嵌挿されている。フィルター材７とガス発生剤５の間に、必要により、第1仕切り部材９を設けることができる。
【００５２】
フィルター材７は、例えば、メリヤス編み金網、平織り金網やクリンプ織り金属線材の集合体によって、好ましくは丸みを帯びた形状のもの、より好ましくは円柱状又は円筒状の形状のもの、特に好ましくは円筒状のものが用いられる。本実施形態例では、他端部２に丸みを帯びた円筒状の形状を有するものが例示される。このフィルター材７は、ハウジング４の他端部２の先端部分に当接して装着されている。そして、このフィルター材７は、ハウジング４内を区画する金属等によって形成されている第１仕切り部材９によってハウジング４の他端部２に押えられて固定されている。この第１仕切り部材９は、この第１仕切り部材９を挟んで他端部２側及び端部３側の両側のハウジング４の外周部分からかしめられる（２箇所のかしめ）ことで、ハウジング４内で固定され、ハウジング４内をフィルター室８と燃焼室６とに仕切っている。フィルター材７の長手方向中央には、空間１９がフィルター材７の芯をくりぬくように形成されている。サイド用エアバッグ等を膨張させるのに好適に使用される本発明のガス発生器では、ガス発生剤５等の薬剤を比較的多く使用するので、好ましくは第１仕切り部材９を用いることによって、フィルター室８と燃焼室６とを仕切り、ガス発生剤５の燃焼熱によるフィルターの損傷を防止することが可能となる。
【００５３】
燃焼室６内には、エンハンサ剤１４が充填されている。エンハンサ剤１４は、クッション材１５によって、振動により粉状化しないように保護されている。また、このクッション材１５には、点火器１０からの火炎の威力を遅延なく、確実にエンハンサ剤１４に伝達するための十字状の切欠きが形成されている。クッション材１５としては、例えば、セラミックスファイバー、発泡シリコン等で形成シリコンゴムやシリコン発泡体等の弾性材を用いて形成することが好ましい。クッション材１５は、通常、円盤状の形状をしており、１層に形成されているものが好ましい。
【００５４】
ガス発生剤５は、非アジド系組成物であって、例えば燃料と、酸化剤と、添加剤（バインダ、スラグ形成剤、燃焼調整剤）とで構成されるものを使用することができる。
【００５５】
燃料としては、例えば含窒素化合物が挙げられる。含窒素化合物としては、例えばトリアゾール誘導体、テトラゾール誘導体、グアニジン誘導体、アゾジカルボンアミド誘導体、ヒドラジン誘導体、ウレア誘導体、アンミン錯体から選ばれる１種又は２種以上の混合物を挙げることができる。
【００５６】
トリアゾール誘導体の具体例としては、例えば５−オキソ−１，２，４−トリアゾール、アミノトリアゾール等を挙げることができる。テトラゾール誘導体の具体例としては、例えばテトラゾール、５−アミノテトラゾール、硝酸アミノテトラゾール、ニトロアミノテトラゾール、５，５’−ビ−１Ｈ−テトラゾール、５，５’−ビ−１Ｈ−テトラゾールジアンモニウム塩、５，５’−アゾテトラゾールジグアニジウム塩等が挙げられる。グアニジン誘導体の具体例としては、例えばグアニジン、ニトログアニジン、シアノグアニジン、トリアミノグアニジン硝酸塩、硝酸グアニジン、硝酸アミノグアニジン、炭酸グアニジン等が挙げられる。アゾジカルボンアミド誘導体の具体例としては、例えばアゾジカルボンアミド等が挙げられる。ヒドラジン誘導体の具体例としては、例えばカルボヒドラジド、カルボヒドラジド硝酸塩錯体、蓚酸ジヒドラジド、ヒドラジン硝酸塩錯体等が挙げられる。ウレア誘導体としては、例えばビウレットが挙げられる。アンミン錯体としては、例えばヘキサアンミン銅錯体、ヘキサアンミンコバルト錯体、テトラアンミン銅錯体、テトラアンミン亜鉛錯体等が挙げられる。
【００５７】
これらの含窒素化合物の中でもテトラゾール誘導体及びグアニジン誘導体から選ばれる１種又は２種以上が好ましく、特にニトログアニジン、硝酸グアニジン、シアノグアニジン、５−アミノテトラゾール、硝酸アミノグアニジン、炭酸グアニジンが好ましい。
【００５８】
ガス発生剤５中におけるこれら含窒素化合物の配合割合は、分子式中の炭素原子、水素原子及びその他の酸化される原子の数によって異なるが、通常２０〜７０重量％の範囲が好ましく、３０〜６０重量％の範囲が特に好ましい。また、ガス発生剤に添加される酸化剤の種類により、含窒素化合物の配合割合の絶対数値は異なる。しかしながら、含窒素化合物の配合割合の絶対数値が、完全酸化理論量より多いと発生ガス中の微量ＣＯ濃度が増大する、一方、含窒素化合物の配合割合の絶対数値が、完全酸化理論量及びそれ以下になると発生ガス中の微量ＮＯX 濃度が増大する。従って両者の最適バランスが保たれる範囲が最も好ましい。
【００５９】
酸化剤としては、アルカリ金属、アルカリ土類金属、遷移金属、アンモニウムから選ばれたカチオンを含む硝酸塩、亜硝酸塩、過塩素酸塩の少なくとも１種から選ばれた酸化剤が好ましい。硝酸塩以外の酸化剤、即ち亜硝酸塩、過塩素酸塩等のエアバッグインフレータ分野で多用されている酸化剤も用いることができるが、硝酸塩に比べて亜硝酸塩分子中の酸素数が減少すること又はバッグ外へ放出されやすい微粉状ミストの生成を減少させる等の観点から硝酸塩が好ましい。硝酸塩としては、例えば硝酸ナトリウム、硝酸カリウム、硝酸マグネシウム、硝酸ストロンチウム、相安定化硝酸アンモニウム、塩基性硝酸銅等を挙げることができ、硝酸ストロンチウム、相安定化硝酸アンモニウム、塩基性硝酸銅がより好ましい。
【００６０】
ガス発生剤５中の酸化剤の配合割合は、用いられる含窒素化合物の種類と量により絶対数値は異なるが、３０〜８０重量％の範囲が好ましく、特に上記のＣＯ及びＮＯX 濃度に関連して４０〜７５重量％の範囲が好ましい。
【００６１】
添加剤であるバインダは、ガス発生剤の燃焼挙動に大幅な悪影響を与えないものであれば何れでも使用可能である。バインダとしては、例えば、カルボキシメチルセルロースの金属塩、メチルセルロ−ス、ヒドロキシエチルセルロース、酢酸セルロース、プロピオン酸セルロース、酢酸酪酸セルロース、ニトロセルロース、微結晶性セルロース、グアガム、ポリビニルアルコール、ポリアクリルアミド、澱粉等の多糖誘導体、ステアリン酸塩等の有機バインダ、二硫化モリブデン、合成ヒドロキシタルサイト、酸性白土、タルク、ベントナイト、ケイソウ土、カオリン、シリカ、アルミナ等の無機バインダを挙げることができる。
【００６２】
バインダの配合割合はプレス成形の場合０〜１０重量％の範囲が好ましく、押出成形においては２〜１５重量％の範囲であることが好ましい。添加量が多くなるに従い成形体の破壊強度が強くなる。ところが、組成物中の炭素原子及び水素原子の数が増大し、炭素原子の不完全燃焼生成物である微量ＣＯガスの濃度が高くなり、発生ガスの品質が低下する。また、ガス発生剤の燃焼を阻害することから、最低量での使用が好ましい。特に１５重量％を超える量では酸化剤の相対的存在割合の増大を必要とし、ガス発生化合物の相対的割合が低下し、実用できるガス発生器システムの成立が困難となる。
【００６３】
また、添加剤として、バインダ以外の成分としては、スラグ形成剤を配合することができる。スラグ形成剤は、ガス発生剤中の特に酸化剤成分から発生する金属酸化物との相互作用により、ガス発生器１内のフィルター材７でのろ過を容易にするために添加される。
【００６４】
スラグ形成剤としては、例えば、窒化珪素、炭化珪素、酸性白土、シリカ、ベントナイト系、カオリン系等のアルミノケイ酸塩を主成分とする天然に産する粘土、合成マイカ、合成カオリナイト、合成スメクタイト等の人工的粘土、含水マグネシウムケイ酸塩鉱物の一種であるタルク等から選ばれるものを挙げることができ、これらの中でも酸性白土又はシリカが好ましく、特に酸性白土が好ましい。スラグ形成剤の配合割合は０〜２０重量％の範囲が好ましく、２〜１０重量％の範囲が特に好ましい。多すぎると線燃焼速度の低下及びガス発生効率の低下をもたらし、少なすぎるとスラグ形成能を十分発揮することができない。
【００６５】
ガス発生剤５の好ましい組合せとしては、５-アミノテトラゾール、硝酸ストロンチウム、合成ヒドロタルサイト、及び窒化珪素を含むガス発生剤、または、硝酸グアニジン、硝酸ストロンチウム、塩基性硝酸銅、酸性白土を含むガス発生剤が挙げられる。
【００６６】
また、必要に応じて燃焼調節剤を添加してもよい。燃焼調整剤としては金属酸化物、フェロシリコン、活性炭、グラファイト、或いはヘキソーゲン、オクトーゲン、５−オキソ−３−ニトロ−１，２，４−トリアゾールといった化合火薬が使用可能である。燃焼調整剤の配合割合は０〜２０重量％の範囲が好ましく、２〜１０重量％の範囲が特に好ましい。多すぎるとガス発生効率の低下をもたらし、また、少なすぎると十分な燃焼速度を得ることができない。
【００６７】
以上のような構成によるガス発生剤５は、プレス成形或いは押出成形による成形体が好ましく、より好ましくは押出成形体で、その形状としては、例えば、ペレット状（一般に、医薬品の１つの形状である錠剤の形にあたるもの）、円柱状、筒状、ディスク状又は両端が閉鎖された中空体形状等が挙げられる。筒状には、円筒状が挙げられ、円筒状には単孔円筒状、多孔円筒状が挙げられる。両端が閉鎖された中空体形状には、両端が閉鎖された円筒状が含まれる。なお、ガス発生剤５の成形体の両端が閉鎖された状態とは、両端に開いた孔が外から内への力２つによって閉鎖された状態のことをいう。孔は、完全に塞がった状態でも、塞ぎきれていない状態でもいずれでも良い。
【００６８】
この、両端が閉鎖された中空体形状のガス発生剤５の製造方法の一例を説明する。前記した含窒素化合物、酸化剤、スラグ形成剤及びバインダで構成される非アジド系組成物は、まず、Ｖ型混合機、またはボールミル等によって混合される。更に水、又は溶媒（例えば、エタノール）を添加しながら混合し、湿った状態の薬塊を得ることができる。ここで、湿った状態とは、ある程度の可塑性を有する状態であり、水又は溶媒を好ましくは１０〜２５重量％、より好ましくは１３〜１８重量％含有している状態にあるものをいう。この後、この湿った状態の薬塊をそのまま押出成形機（例えば、ダイス及び内孔用ピンを出口に備えたもの）により、外径が、好ましくは１．４ｍｍ〜４ｍｍで、より好ましくは１．５ｍｍ〜３．５ｍｍであり、内径が、好ましくは０．３ｍｍ〜１．２ｍｍであり、より好ましくは０．５ｍｍ〜１．２ｍｍの中空筒状成形体に押出成型する。その後、押出成形機で押出された中空筒状成形体を一定間隔で押圧して両端が閉鎖された筒状成形体が得られる。通常は、該中空筒状成形体を一定間隔で押圧した後、それぞれ閉鎖された窪み部分で折るようにして切断した後、通常、５０〜６０℃の範囲で４〜１０時間乾燥し、次いで、通常、１０５〜１２０℃の範囲で６〜１０時間乾燥という２段階による乾燥を行うことにより、端部が閉鎖された状態で、内部に空間を有した筒状のガス発生剤を得ることができる。このように得られたガス発生剤の長さは、通常、１．５〜８ｍｍの範囲にあり、好ましくは１．５〜７ｍｍの範囲にあり、より好ましくは２〜６．５ｍｍの範囲にある。
【００６９】
また、ガス発生剤の線燃焼速度は定圧条件下で測定され、経験的に以下のＶｉｅｌｌｅの式に従う。
ｒ＝ａＰｎ
ここで、ｒは線燃焼速度、ａは定数、Ｐは圧力、ｎは圧力指数を示す。この圧力指数ｎは、Ｙ軸の燃焼速度の対数に対するＸ軸の圧力の対数プロットによる勾配を示すものである。
【００７０】
ガス発生剤の好ましい線燃焼速度の範囲は、７０ｋｇｆ／ｃｍ2下で３〜６０ｍｍ／秒であり、より好ましくは５〜３５ｍｍ／秒であり、また、好ましい圧力指数の範囲はｎ＝０．９０以下、より好ましくはｎ＝０．７５以下、特に好ましくはｎ＝０．６０以下である。
【００７１】
また、線燃焼速度を測定する方法としては、例えばストランドバーナ法、小型モータ法、密閉圧力容器法が一般に挙げられる。具体的には所定の大きさにプレス成形した後、表面にリストリクターを塗布することにより得られた試験片を用いて、ヒューズ切断法等により、高圧容器中で燃焼速度を測定する。この時、高圧容器内の圧力を変数に線燃焼速度測定し、上記Ｖｉｅｌｌｅの式から圧力指数を求めることができる。
【００７２】
ガス発生剤は、非アジド系ガス発生剤が用いられるため、使用される原料は人体有害性の小さいものである。また、燃料成分、酸化剤成分を選択することにより、発生ガスモル当たりの発熱量を抑えることができ、ガス発生器の小型、軽量化が可能となる。
【００７３】
エンハンサ剤１４は、エンハンサ剤として、一般に用いられている次のような組成物を含むものが用いられる。Ｂ／ＫＮＯ3に代表される金属粉、酸化剤を含む組成物、含窒素化合物／酸化剤／金属粉を含む組成物、或いは、前述のガス発生剤５と同様の組成物等が挙げられる。含窒素化合物としては、ガス発生剤の燃料成分（アミノテトラゾール、硝酸グアニジン等）として使用可能なものが挙げられる。酸化剤としては、例えば硝酸カリウム、硝酸ナトリウム、硝酸ストロンチウム等の硝酸塩が挙げられる。金属粉としては、例えばホウ素、マグネシウム、アルミニウム、マグナリウム（マグネシウム−アルミニウム合金）、チタン、ジルコニウム、タングステン等が挙げられる。好ましい組合せとしては、５−アミノテトラゾ−ル、硝酸カリウム、ホウ素を含むもの、硝酸グアニジン、硝酸カリウム、ホウ素等を挙げることができる。そして、必要に応じて、成形用バインダを０〜１０％重量含んでもよい。
【００７４】
また、エンハンサ剤１４の形状は、プレス成形或いは押出成形による成形体が好ましく、より好ましくは押出成形体で、その形状は、ペレット状（一般に、医薬品の錠剤の形にあたるもの）、円柱状、筒状、ディスク状又は両端が閉鎖された中空体形状等が挙げられる。筒状には、例えば円筒状が挙げられ、円筒状には、例えば単孔円筒状、多孔円筒状等が挙げられる。両端が閉鎖された中空体形状には、両端が閉鎖された円筒状が含まれる。エンハンサ剤１４の外径は、１ｍｍ以上が好ましい。また、エンハンサ剤の高さは１〜５ｍｍが好ましい。
【００７５】
そして、これらガス発生剤５及びエンハンサ剤１４は、好ましくは燃焼室６内で、容器に加えられることなく、板状の第２仕切り部材４６で隔離されて充填されている。ここで、前記容器とは、通常、エンハンサ等を加えるための鉄、アルミニウム等で形成された容器を言う。この第２仕切り部材４６としては、例えば薄いプレート、金網、エキスパンドメタル、パンチングメタル等が挙げられる。
ガス発生剤５及びエンハンサ剤１４は、第２仕切り部材４６で隔離され、充填されることで、それぞれが混合し合うこともなく、又、ガス発生剤５の充填状況の違いによるエンハンサ剤１４とガス発生剤５は、第２仕切り部材４６を介して密着しているため（図１では、薄いプレートが用いられている）、お互い、距離を生ずることがないので、ガス発生器１の性能を安定させることができる。また、第２仕切り部材４６としての薄いプレートは、好ましくはアルミニウム、鉄、ＳＵＳ等でできており、その厚みは、０．１〜０．２ｍｍの範囲にあることが好ましい。また、金網及びエキスパンドメタルの厚みは、０．４〜１．０ｍｍの範囲にあることが好ましい。
また、エンハンサ剤１４を好ましくは円柱状とすることで、粉状や顆粒状に比べ、エンハンサ剤１４が充填される時に、ガス発生剤５の隙間に入って行きにくいために運搬中や、自動車等に取り付けた後であっても、燃焼室６内で、これらが混合することを抑制できる。このため、ガス発生器の性能をより確実に安定なものとすることができる。
【００７６】
次に、ガス発生器１の作動を説明する。衝突センサが自動車の衝突を検出すると、ガス発生器１は、点火器１０に信号を送り、発火させる。点火器１０の火炎は、クッション材１５を破裂、開口した後、燃焼室６内に噴出して、エンハンサ剤１４に着火し、ガス発生剤５を強制的に着火燃焼させることで、高温ガスを発生させる。このガス発生剤５の着火燃焼は、ハウジング４の端部３からフィルター材７側へ順次移行される。
【００７７】
燃焼室６内での燃焼が進んで、燃焼室６が所定内圧まで上昇すると、燃焼室６内で発生した高温ガスは、孔１８を通り、空間１９へ入り、フィルタ−材７を通過して、ここでスラグ捕集と冷却を経て、清浄なガスとなる。この清浄なガスは、ガス放出孔１１から放出される。
【００７８】
これによって、ガス放出孔１１から放出される十分に冷却された清浄なガスは、エアベルトやエアバッグ等の内部に直接導入され、瞬時に、膨張する。
【００７９】
このように、本発明に係る第１の実施形態であるガス発生器１では、点火器１０に薄膜ブリッジ２５が用いられているため、従来の電橋線タイプのものに比べて速い時間で、確実に点火させることができる。
【００８０】
次に、本発明に係る第２の実施形態であるガス発生器４５を図２を用いて説明する。
なお、本発明に係る第２の実施形態において、前述の第１の実施形態例におけるガス発生器１と共通する部位については、同じ符号を用いて、詳細な説明を省略する。
【００８１】
本発明に係るガス発生器４５が、図１に示す第１の実施形態に係るガス発生器１と異なる点は、ハウジングの他端部２が平底形状になっている点、ガス放出孔１１が軸方向に２列に設置されている点である。このようにしても、本発明のガス発生器１と同じように、他端部２が閉塞しているため、端部３のみを封止すればよく、部品点数を減少することができるとともに、封止部分を端部３の一箇所のみとすることができるため、ガス発生器の安全性を高めるとともに、小型化することが可能となる。
【００８２】
また、本発明のガス発生器４５では、ガス放出孔１１が軸方向に２列に設置されていることにより、ハウジング４内で発生したガスが、集中することなく放出されるため、フィルター材７の損傷を抑制する。また、フィルター材７を広い範囲で使用することができ、フィルター材７を効率良く利用することができる。
【００８３】
本発明のガス発生器１、４５は、サイド（側面衝突）用ガス発生器として好適に用いられる。
【図面の簡単な説明】
【００８４】
【図１】本発明に係わるガス発生器の第１の実施形態の一例の断面図である。
【図２】本発明に係わるガス発生器の第２の実施形態の一例の断面図である。
【図３】本発明に係わるガス発生器に用いられる点火器の一例の断面図である。
【図４】図３の一部を拡大した要部平面を示す図である。
【図５】図４におけるＡ−Ａ’線断面を示す図である。
【図６】図４におけるＢ−Ｂ’線断面を示す図である。
【符号の説明】
【００８５】
Ｂ    外径
ｈ１  溝深さ
ｈ２  段差
ｈ３  ル−プ高さ
１    ガス発生器
２    他端部
３    端部
４    ハウジング
５    ガス発生剤
６    燃焼室
７    フィルター材
８    フィルター室
９    第１仕切り部材
１０    点火器
１１    ガス放出孔
１２    ホルダ
１３    軸端部
１４    エンハンサ剤
１５    クッション材
１６    シール部材
１９    空間
２０    円筒部
２２，２３  電極ピン
２４    塞栓
２５    薄膜ブリッジ
２６、２７  火薬
２８    ワイヤ−
２９    第１管体
３０    第２管体
３１    絶縁体
３２    凹部
３５    頭部
４０    点火器用ホルダ
４１    電極パッド
４２    基板
４３    積層体
４４    ヘッダ−部
４５    ガス発生器
４６    第２仕切り部材
【図１】
2005246160.tif 000003
【図２】
2005246160.tif 000004
【図３】
2005246160.tif 000005
【図４】
2005246160.tif 000006
【図５】
2005246160.tif 000007
【図６】
2005246160.tif 000008